【手続補正書】
【提出日】平成27年11月20日(2015.11.20)
【手続補正１】
【補正対象書類名】特許請求の範囲
【補正対象項目名】全文
【補正方法】変更
【補正の内容】
【特許請求の範囲】
【請求項１】
光を射出する放電灯と、
前記放電灯を駆動する駆動電流を前記放電灯に供給する放電灯駆動部と、
前記放電灯駆動部を制御する制御部と、
前記放電灯から射出される光を映像信号に応じて変調する光変調素子と、
前記光変調素子により変調された光を投写する投写光学系と、
を備え、
前記制御部は、高輝度期間と、低輝度期間と、を交互に繰り返し、
前記低輝度期間における駆動電流の絶対値は、前記高輝度期間における駆動電流の絶対値よりも小さく、
前記制御部は、第１高輝度期間の駆動電流、前記第１高輝度期間の直後の第１低輝度期間の駆動電流、および前記第１低輝度期間の直後の第２高輝度期間の駆動電流が同一の極性となる第１パターンを含む駆動電流が前記放電灯に供給されるように、前記放電灯駆動部を制御することを特徴とするプロジェクター。
【請求項２】
請求項１に記載のプロジェクターであって、
前記駆動電流は、前記第１パターンにおける前記第１高輝度期間の直前または前記第２高輝度期間の直後に、前記放電灯に供給される駆動電流が前記第１パターンの駆動電流の極性に対して逆極性となる第２低輝度期間を含むことを特徴とするプロジェクター。
【請求項３】
請求項１または２に記載のプロジェクターであって、
前記駆動電流は、第３高輝度期間において交流電流が前記放電灯に供給される第２パターンを含むことを特徴とするプロジェクター。
【請求項４】
請求項１から３までのいずれか一項に記載のプロジェクターであって、
前記映像信号は、第１映像信号と第２映像信号とを含み、
前記制御部は、前記光変調素子に前記第１映像信号が複数回書き込まれる第１映像期間と、前記光変調素子に前記第２映像信号が複数回書き込まれる第２映像期間と、を交互に繰り返し、
前記低輝度期間は、前記第１映像期間および前記第２映像期間において、前記第１映像信号が書き込まれた前記光変調素子に前記第２映像信号を書き込む期間、もしくは、前記第２映像信号が書き込まれた前記光変調素子に前記第１映像信号を書き込む期間であり、
前記高輝度期間は、前記第１映像期間および前記第２映像期間において、前記第１映像信号が書き込まれた前記光変調素子に前記第１映像信号を書き込む期間、もしくは、前記第２映像信号が書き込まれた前記光変調素子に前記第２映像信号を書き込む期間であることを特徴とするプロジェクター。
【請求項５】
請求項４に記載のプロジェクターであって、
前記第１映像期間は、右眼用映像期間であり、
前記第２映像期間は、左眼用映像期間であることを特徴とするプロジェクター。
【請求項６】
請求項１から５までのいずれか一項に記載のプロジェクターであって、
前記制御部は、前記放電灯の劣化に応じて、所定期間における前記第１パターンの期間の割合を大きくすることを特徴とするプロジェクター。
【請求項７】
請求項１から５までのいずれか一項に記載のプロジェクターであって、
前記制御部は、前記放電灯の劣化に応じて、所定期間において前記第１パターンが連続して繰り返される期間の割合を大きくすることを特徴とするプロジェクター。
【請求項８】
請求項１に記載のプロジェクターであって、
前記駆動電流は、前記第１パターンにおける前記第１高輝度期間の直前および前記第２高輝度期間の直後に、前記放電灯に供給される駆動電流が前記第１パターンの駆動電流の極性に対して逆極性となる第２極性高輝度期間を含むことを特徴とするプロジェクター。
【請求項９】
請求項８に記載のプロジェクターであって、
前記制御部は、前記放電灯の劣化に応じて、前記第２極性高輝度期間を短くすることを特徴とするプロジェクター。
【請求項１０】
請求項１から９までのいずれか一項に記載のプロジェクターと、前記制御部からの信号に基づいて開状態と閉状態との間で切り替えられる第１シャッターおよび第２シャッターを有するシャッターメガネと、を備えたプロジェクションシステムであって、
前記映像信号は、第１映像信号と第２映像信号とを含み、
前記光変調素子に前記第１映像信号が書き込まれる第１映像期間と、前記光変調素子に前記第２映像信号が書き込まれる第２映像期間と、が交互に繰り返され、
前記低輝度期間において、前記第１シャッターおよび前記第２シャッターは前記閉状態となり、
前記高輝度期間において、前記第１シャッターおよび前記第２シャッターのうち一方は前記開状態となり、他方のシャッターは前記閉状態となることを特徴とするプロジェクションシステム。
【手続補正２】
【補正対象書類名】明細書
【補正対象項目名】００９３
【補正方法】変更
【補正の内容】
【００９３】
同様に、左眼用映像期間において、第１期間Ｐ１は、左眼用シャッター４１４が閉じている期間である。第２期間Ｐ２〜第４期間Ｐ４は、左眼用シャッター４１４が開いている期間である。液晶パネル５６０Ｒ，５６０Ｇ，５６０Ｂへの映像信号の書き込みとの関係で言えば、第１期間Ｐ１は、右眼用映像信号が書き込まれた液晶パネル５６０Ｒ，５６０Ｇ，５６０Ｂに左眼用映像信号を書き込み始める期間である。第２期間Ｐ２〜第４期間Ｐ４は、左眼用映像信号が書き込まれた液晶パネル５６０Ｒ，５６０Ｇ，５６０Ｂに左眼用映像信号を繰り返し書き込む期間である。
【手続補正３】
【補正対象書類名】明細書
【補正対象項目名】０１０２
【補正方法】変更
【補正の内容】
【０１０２】
制御波形ユニットは、直流波形パターンと交流波形パターンとを含んでいる。図８の例では、波形パターンＡ（負）と波形パターンＡ（正）とが直流波形パターンに相当する。直流波形パターンは、第１高輝度期間Ｈの電力比（駆動電流比）、第１高輝度期間Ｈの直後の第１低輝度期間Ｌの電力比（駆動電流比）、および第１低輝度期間Ｌの直後の第２高輝度期間Ｈの電力比（駆動電流比）が同一の極性となるパターンを含んでいる。また、波形パターンＢは交流波形パターンに相当する。
【手続補正４】
【補正対象書類名】明細書
【補正対象項目名】０１０７
【補正方法】変更
【補正の内容】
【０１０７】
図１０（Ａ）、（Ｂ）に示すように、波形パターンＡ（負）および波形パターンＡ（正）は、基本的に直流波形パターンである。具体的には、波形パターンＡ（負）は、第１高輝度期間Ｈ１の電力比（駆動電流比）、第１高輝度期間Ｈ１の直後の第１低輝度期間Ｌ１の電力比（駆動電流比）、および第１低輝度期間Ｌ１の直後の第２高輝度期間Ｈ２の電力比（駆動電流比）が負極性となり、第２高輝度期間Ｈ２の直後の第２低輝度期間Ｌ２の電力比（駆動電流比）が正極性となるパターンを含んでいる。
【手続補正５】
【補正対象書類名】明細書
【補正対象項目名】０１０８
【補正方法】変更
【補正の内容】
【０１０８】
波形パターンＡ（正）は、第１高輝度期間Ｈ１の電力比（駆動電流比）、第１高輝度期間Ｈ１の直後の第１低輝度期間Ｌ１の電力比（駆動電流比）、および第１低輝度期間Ｌ１の直後の第２高輝度期間Ｈ２の電力比（駆動電流比）が正極性となり、第２高輝度期間Ｈ２の直後の第２低輝度期間Ｌ２の電力比（駆動電流比）が負極性となるパターンを含んでいる。すなわち、本実施形態の駆動電流波形は、時間的に隣接する２つの映像期間に跨がって駆動電流が同一極性である期間を有していることが特徴である。
【手続補正６】
【補正対象書類名】明細書
【補正対象項目名】０１１７
【補正方法】変更
【補正の内容】
【０１１７】
図１１（Ａ）に示すように、波形パターンＤ（負）は、第１高輝度期間Ｈ１の電力比（駆動電流比）、第１高輝度期間Ｈ１の直後の第１低輝度期間Ｌ１の電力比（駆動電流比）、第１低輝度期間Ｌ１の直後の第２高輝度期間Ｈ２の電力比（駆動電流比）、第２高輝度期間Ｈ２の直後の第２低輝度期間Ｌ２の電力比（駆動電流比）、および第２低輝度期間Ｌ２の直後の第３高輝度期間Ｈ３の電力比（駆動電流比）が負極性となり、第３高輝度期間Ｈ３の直後の第３低輝度期間Ｌ３の電力比（駆動電流比）が正極性となるパターンを含んでいる。
【手続補正７】
【補正対象書類名】明細書
【補正対象項目名】０１１８
【補正方法】変更
【補正の内容】
【０１１８】
図１１（Ｂ）に示すように、波形パターンＤ（正）は、第１高輝度期間Ｈ１の電力比（駆動電流比）、第１高輝度期間Ｈ１の直後の第１低輝度期間Ｌ１の電力比（駆動電流比）、第１低輝度期間Ｌ１の直後の第２高輝度期間Ｈ２の電力比（駆動電流比）、第２高輝度期間Ｈ２の直後の第２低輝度期間Ｌ２の電力比（駆動電流比）、および第２低輝度期間Ｌ２の直後の第３高輝度期間Ｈ３の電力比（駆動電流比）が正極性となり、第３高輝度期間Ｈ３の直後の第３低輝度期間Ｌ３の電力比（駆動電流比）が負極性となるパターンを含んでいる。